(57)【要約】【課題】どのような端末やソフトウエアを使用していても、予め登録しておけばユーザの表示端末に、適切な表示等を行わせることができるようにする。【解決手段】インターネット３上のホームページ２０などのデータを閲覧したいユーザ４は、データ変換サーバ２に予め登録しておき、データ変換２３のサービスを受ける。データ変換２３では、ユーザデータ登録手段５に登録されているユーザデータ１５に基づいて作成されている変換データ２６に従い、ユーザ４の端末装置１２や表示装置１３での表示仕様に適合するように、表示変換２４やフォーマット変換２５が行われる。変換サービスは有償であり、料金演算手段７によって料金データ２９が算出される。【選択図】　　　図１
2004078354.tif 000002
【特許請求の範囲】
【請求項１】
インターネットに接続される端末装置を有する複数のユーザと契約し、
各ユーザおよび各ユーザが使用する端末装置の表示仕様をユーザデータとして登録しておき、
各端末装置からの要求に応じてインターネット上からデータを取得し、該端末装置のユーザについて登録されている表示仕様に適合するようにデータ変換を行って、変換したデータを要求が出された端末装置に転送し、
データ変換に要するデータ変換サービスの料金を算出し、各ユーザに請求することを特徴とするデータ変換サービス方法。
【請求項２】
インターネット上に開設されるデータ変換用サーバ装置であって、
複数のユーザおよび該ユーザが利用する端末装置の表示仕様が登録されるユーザデータ登録手段と、
各ユーザからの要求に応じてインターネット上からデータを取得し、ユーザデータ登録手段から、該ユーザについて登録されている端末装置の表示仕様に適合するようにデータ変換を行い、該端末装置に転送するデータ変換手段と、
データ変換手段によるデータ変換サービスの料金を算出し、各ユーザに請求する料金演算手段とを含むことを特徴とするデータ変換用サーバ装置。
【請求項３】
前記各端末装置に対して、前記インターネット上から取得するデータのアドレス入力用のソフトウエアを提供し、かつ入力されるアドレスを予め定める範囲で再利用可能なように蓄積するアドレス入力手段をさらに含むことを特徴とする請求項２記載のデータ変換用サーバ装置。
【請求項４】
前記データ変換手段は、前記データ変換の際に、画像データについて、データの圧縮率の向上、表示サイズの減少、または表示色の減色のうちの少なくとも一つを行うことを特徴とする請求項２記載のデータ変換用サーバ装置。
【請求項５】
前記データ変換手段は、前記データ変換の際に、音楽データについて、データの圧縮率の向上、ストリームファイルへの変換、または携帯電話用着信メロディへの変換のうちの少なくとも一つを行うことを特徴とする請求項２記載のデータ変換用サーバ装置。
【請求項６】
前記データ変換手段は、前記データ変換の際に、電子メールについて、ＨＴＭＬメールについてのイメージ画像変換、メール文字数のカウント、自動分割、または添付ファイル変換のうちの少なくとも一つを行うことを特徴とする請求項２記載のデータ変換用サーバ装置。
【請求項７】
前記データ変換手段は、前記データ変換の際に、言語の変換または翻訳を行うことを特徴とする請求項２記載の記載のデータ変換用サーバ装置。
【請求項８】
前記データ変換手段は、前記インターネット上から取得するデータに対して、セキュリティ対策用のフィルタリングを行うことを特徴とする請求項２記載のデータ変換用サーバ装置。
【請求項９】
前記データ変換手段は、前記インターネット上から取得してデータ変換の対象としたデータを、圧縮して電子メールの添付ファイルの形式に変換することを特徴とする請求項２記載のデータ変換用サーバ装置。
【請求項１０】
前記ユーザデータ登録手段には、前記ユーザによって指定されるデータ変換のランクが登録可能であり、
前記データ変換手段は、ユーザデータ登録手段にランクが登録されているときには、該ランクに従ってデータ変換を行うことを特徴とする請求項２記載のデータ変換用サーバ装置。
【請求項１１】
前記データ変換手段によって変換されるデータを、ユーザ毎に保管して、ユーザの要求時に提供するデータ保管手段をさらに含むことを特徴とする請求項２〜１０のいずれかに記載のデータ変換用サーバ装置。
【発明の詳細な説明】
【０００１】
【発明の属する技術分野】
本発明は、インターネット上で得られるデータを変換して提供するデータ変換サービス方法およびデータ変換用サーバ装置に関する。
【０００２】
【従来の技術】
従来から、インターネット上には多くの情報が公開され、ＷＷＷ（Ｗｏｒｌｄ　ＷｉｄｅＷｅｂ）のページやＦＴＰ（Ｆｉｌｅ　Ｔｒａｎｓｆｅｒ　Ｐｒｏｔｃｏｌ　）等の形式に基づいて利用されている。特に、ＷＷＷのページ形式では、基本的なブラウザのソフトウエアとともに、プラグインと呼ばれる付加的なソフトウエアが連動して、多彩な表示が可能となり、動画や音声、音楽など、多様なデータの総合的な表示が可能になっている。
【０００３】
インターネットに接続する端末機器も多様化している。一般的には、据置き型のパーソナルコンピュータやワークステーションなどであるけれども、携帯型のＰＤＡ（Ｐｅｒｓｏｎａｌ　Ｄｉｇｉｔａｌ　Ａｓｓｉｓｔａｎｔ）などの情報機器や携帯電話機などからの利用も可能になっている。ただし、ＰＤＡや携帯電話機では、携帯性を重視して筐体が小型化され、表示や入力操作に制約がある。このため、一般的なパーソナルコンピュータ等を前提にしているＷＷＷブラウザなどのソフトウエアを動作させることはできず、それぞれの制約条件を考慮して提供されているデータのみにしかアクセスすることはできない。すなわち、様々なインターネット接続端末が出てきているけれども、その表示は、データ提供者と受ける側とは異なることが多く、表示を適切に行うことができないようなページも出てきている。
【０００４】
特開平１１−２５０００９号公報および特開２００１−２２２４８７号公報には、ＰＤＡなどの携帯情報端末に、インターネット上で提供される情報量の大きなデータを、予め登録されている仕様に合わせてデータ変換して提供したり、データ要求時に付加する制約条件を満たすようにデータ変換して提供する技術がそれぞれ開示されている。特開２０００−２８６９２０号公報には、たとえば走行中の自動車に関して発生する多種多様な情報を、インターネットに送信するデータに変換する技術が開示されている。
【０００５】
【発明が解決しようとする課題】
インターネットのＷＷＷブラウザなどのソフトウエアは、ＨＴＭＬ（ＨｙｐｅｒＴｅｘｔ　Ｍａｒｋｕｐ　Ｌａｎｇｕａｇｅ）の規約やスクリプト言語に基づいて動作し、これらの技術的な進歩によるバージョンアップが繰返されると、同一のソフトウエアで閲覧するように作成されているページでも、充分に表示させることができない場合がある。また、ソフトウエアが異なる場合は、充分な表示ができなくなる可能性が大きくなる。さらに、携帯情報端末などを使用して、制約条件が大きい場合は、ほとんど表示が不可能になってしまう。すなわち、さまざまなインターネット接続端末や表示ソフトウエア、閲覧ソフトウエアにより、表示される情報が限られたものになったり、あるいはまったく表示することができなくなる等のことも起きてきている。
【０００６】
特開平１１−２５０００９号公報に開示されている先行技術では、サーバ装置と端末装置とのデータ通信の際に、通信フォーマットのサブアドレス領域を利用してリソース情報をサーバ装置が抽出して登録する。特開２００１−２２２４８７号公報に開示されている先行技術では、データを要求するリクエスト情報に制約情報を付加し、データを提供するＷｅｂサーバと携帯情報端末との間に介在するプロキシサーバが制約情報に基づいてデータ変換を行うとしている。しかしながら、携帯情報端末も種類が多く、同一メーカの製品でも、最新のものほど機能が向上している。このため、データ通信やデータ要求に附属して転送されるような情報だけでは、適切な表示を行わせることはできない。たとえ、できるだけ多くの機種に共通で表示可能にするような最大公約数的なデータ変換は可能であっても、そのようなデータ変換では、最新の機種の機能を充分に生かした表示を行わせることはできない。
【０００７】
本発明の目的は、どのような端末やソフトウエアを使用していても、予め登録しておけばユーザの表示端末に、適切な表示等を行わせることができるデータ変換サービス方法およびデータ変換用サーバ装置を提供することである。
【０００８】
【課題を解決するための手段】
本発明は、インターネットに接続される端末装置を有する複数のユーザと契約し、
各ユーザおよび各ユーザが使用する端末装置の表示仕様をユーザデータとして登録しておき、
各端末装置からの要求に応じてインターネット上からデータを取得し、該端末装置のユーザについて登録されている表示仕様に適合するようにデータ変換を行って、変換したデータを要求が出された端末装置に転送し、
データ変換に要するデータ変換サービスの料金を算出し、各ユーザに請求することを特徴とするデータ変換サービス方法である。
【０００９】
本発明に従えば、インターネットに接続される端末装置を有する複数のユーザは、契約して、端末装置の表示仕様をユーザデータとして登録する。各端末装置からの要求に応じて、インターネット上から取得するデータは、登録されている表示仕様に適合するようにデータ変換を行って、変換したデータを要求が出された端末装置に転送する。データ変換に要するデータ変換サービスの料金を算出して各ユーザに請求するので、ユーザはどのような端末やソフトウエアを使用していても、予め登録しておけばユーザの表示端末に、適切な表示等を行わせることが可能なデータ変換を有償で受けることができる。データ変換は有償であるので、単にデータの表示が可能であるだけではなく、最適化された表示が可能なように、登録後、実際にデータ変換を行うまでにデータ変換の準備を行っておくことができる。データ変換サービスの利用が多くなると、端末装置の製造メーカなどからも、データ変換に必要な情報等が提供されることも期待され、サービスの充実を図ることができる。
【００１０】
さらに本発明は、インターネット上に開設されるデータ変換用サーバ装置であって、
複数のユーザおよび該ユーザが利用する端末装置の表示仕様が登録されるユーザデータ登録手段と、
各ユーザからの要求に応じてインターネット上からデータを取得し、ユーザデータ登録手段から、該ユーザについて登録されている端末装置の表示仕様に適合するようにデータ変換を行い、該端末装置に転送するデータ変換手段と、
データ変換手段によるデータ変換サービスの料金を算出し、各ユーザに請求する料金演算手段とを含むことを特徴とするデータ変換用サーバ装置である。
【００１１】
本発明に従えば、インターネット上に開設されるデータ変換用サーバ装置は、ユーザデータ登録手段と、データ変換手段と、料金演算手段とを含む。ユーザデータ登録手段には、複数のユーザおよびユーザが利用する端末装置の表示仕様が登録されるので、登録後に、実際にデータ変換サービスを実行するまでに、インターネット上で提供される代表的なデータをどのように変換するかを検討して、最適なデータ変換の方式を決めておくことができる。データ変換手段は、各ユーザからの要求に応じてインターネット上からデータを取得し、ユーザデータ登録手段から、そのユーザについて登録されている端末装置の表示仕様に適合するようにデータ変換を行い、その端末装置に転送する。料金演算手段は、データ変換手段によるデータ変換サービスの料金を算出し、各ユーザに請求するので、データ変換サービスを有償化し、料金に見合う最適化されたデータの提供を可能にするという誘因を与えることができる。
【００１２】
また本発明は、前記各端末装置に対して、前記インターネット上から取得するデータのアドレス入力用のソフトウエアを提供し、かつ入力されるアドレスを予め定める範囲で再利用可能なように蓄積するアドレス入力手段をさらに含むことを特徴とする。
【００１３】
本発明に従えば、ユーザが希望するデータのアドレスは、データ変換用サーバ装置が提供するアドレス入力用のソフトウエアを介して、データ変換用サーバ装置のアドレス入力手段に入力され、かつ予め定める範囲で再利用可能なように蓄積されるので、ブックマークや閲覧履歴などの機能で、繰返して入力する際に、重複する入力操作を避けることができる。
【００１４】
また本発明で、前記データ変換手段は、前記データ変換の際に、画像データについて、データの圧縮率の向上、表示サイズの減少、または表示色の減色のうちの少なくとも一つを行うことを特徴とする。
【００１５】
本発明に従えば、携帯情報端末などで、画像表示機能が制限される場合に、データ量を削減して適切な表示を行わせることができる。
【００１６】
また本発明で、前記データ変換手段は、前記データ変換の際に、音楽データについて、データの圧縮率の向上、ストリームファイルへの変換、または携帯電話用着信メロディへの変換のうちの少なくとも一つを行うことを特徴とする。
【００１７】
本発明に従えば、音楽データを再生環境に合わせて、データ変換し、データ量を削減して迅速な配信を行うことができる。
【００１８】
また本発明で、前記データ変換手段は、前記データ変換の際に、電子メールについて、ＨＴＭＬメールについてのイメージ画像変換、メール文字数のカウント、自動分割、または添付ファイル変換のうちの少なくとも一つを行うことを特徴とする。
【００１９】
本発明に従えば、携帯情報端末や携帯電話機などで表示可能な文字数が制限されているような場合に、電子メールを適切に表示することができるようにデータ変換することができる。
【００２０】
また本発明で、前記データ変換手段は、前記データ変換の際に、言語の変換または翻訳を行うことを特徴とする。
【００２１】
本発明に従えば、言語の変換や翻訳のサービスも、ユーザは通常の操作手順で受けることができる。
【００２２】
また本発明で、前記データ変換手段は、前記インターネット上から取得するデータに対して、セキュリティ対策用のフィルタリングを行うことを特徴とする。
【００２３】
本発明に従えば、インターネット上から取得するデータに、コンピュータウイルスなどが混入されている可能性があっても、セキュリティ対策用のフィルタリングを行うので、変換されたデータの信頼性を向上させることができる。データ変換サーバ装置は、最新のウイルス対策情報に従うようにしておけば、個々のユーザは安心してデータを取得することができる。
【００２４】
また本発明で、前記データ変換手段は、前記インターネット上から取得してデータ変換の対象としたデータを、圧縮して電子メールの添付ファイルの形式に変換することを特徴とする。
【００２５】
本発明に従えば、データを変換した結果を圧縮して、電子メールの添付ファイルの形式に変換するので、電子メールとして取扱うことができ、しかもメールサイズを削減して、メールサーバ等の負担を軽減することもできる。
【００２６】
また本発明で、前記ユーザデータ登録手段には、前記ユーザによって指定されるデータ変換のランクが登録可能であり、
前記データ変換手段は、ユーザデータ登録手段にランクが登録されているときには、該ランクに従ってデータ変換を行うことを特徴とする。
【００２７】
本発明に従えば、ユーザからデータ変換のランクをユーザデータ登録手段に登録可能であり、データ変換手段がデータ変換を行う際には、ランクに従ってデータが変換されるので、ユーザの好みを優先させてデータ変換を行わせることができる。
【００２８】
また本発明は、前記データ変換手段によって変換されるデータを、ユーザ毎に保管して、ユーザの要求時に提供するデータ保管手段をさらに含むことを特徴とする。
【００２９】
本発明に従えば、変換したデータはデータ保管手段にユーザ毎に保管しておき、ユーザからの要求時に提供するので、ブックマークのように、ユーザは再表示を行うことができ、ユーザ毎のきめの細かいサービスを提供することができる。
【００３０】
【発明の実施の形態】
図１は、本発明の実施の一形態であるインターネットデータ変換サービスシステム１の概略的な構成を示す。データ変換サーバ２の設置者は、インターネット３に接続される端末装置を有する複数のユーザ４と契約してデータ変換サービスを提供する。サービスセンタなどに設置するデータ変換サーバ２には、ユーザデータ登録手段５と、データ変換手段６と、料金演算手段７とが含まれる。データ変換手段６には、翻訳変換機能８が備えられる。ユーザ４とデータ変換サーバ２との間の接続は、インターネット３や公衆電話回線網、携帯電話網などを介して行うことができる。ユーザ４はサービスセンタに設置されているデータ変換サーバ２にログインし、データの希望表示先を提示する。データ変換サーバ２は、予め登録されているユーザ４を確認後、変換形式をユーザ４に合わせて決定し、データを取得して変換し、変換されたデータを提供する。
【００３１】
ユーザデータ登録手段５には、複数のユーザ４からの登録データ１０が登録される。各ユーザ４がデータ変換サーバ２にアクセスして登録を受ける際には、アクセスの経路に従って判断されるデータ変換サーバ２からユーザ４の使用する端末機器の種類、たとえば情報処理装置、または携帯電話機などの種別に応じたＷＷＷページブラウザ用の表示データ１１を提供する。ユーザ４は、利用する端末装置１２の種類を、音楽などの再生機、パソコンやＰＤＡなどの情報処理装置、携帯電話機などの端末機器など、表示データ１１による案内に従って入力する。また端末装置１２に付随する表示装置１３の表示仕様の入力も行う。表示仕様は、多様な機種や端末に合わせて、画像やテキストの表示形態ばかりではなく、音声や音楽の再生機能や再生するデータファイルの形式などが含まれる。ユーザ登録１４として入力されるユーザデータ１５は、ユーザ４自体の識別情報や料金支払いに利用する金融機関などの特定情報なども含まれる。
【００３２】
データ変換手段６は、ユーザデータ登録手段５に登録されている各ユーザ４からの識別情報などの登録データ１０を伴う要求に応じて、インターネット３上からデータを取得する。取得するデータとしては、ＷＷＷページブラウザで閲覧するホームページ２０などのＷｅｂページ形式のデータ、電子メール２１形式のテキストを含むデータ、ダウンロードの対象となるダウンロード用データ２２などがある。データを取得すると、データ変換手段６は、要求のあったユーザ４について登録されている端末装置１２の表示装置１３の表示仕様に適合するようにデータ変換２３を行う。データ変換２３としては、たとえばパソコンなどの情報処理装置の表示画面で表示するホームページを携帯電話機の表示画面の表示仕様に合わせて簡略化するなど、表示装置１３の表示仕様に適合するように行う表示変換２４を含む。また、データ変換２３には、音楽データのファイル形式をＰＣＭデータのＷＡＶ形式から、圧縮した形式のＭＰ３や、携帯電話機用の着信メロディ用データなどへの変換を含むフォーマット変換２５なども含む。
【００３３】
ユーザデータ登録手段５には、変換データ２６として、各ユーザ４と、その端末装置１２の表示装置１３での表示形態とが対応するように登録されている。たとえば、００１のユーザはＰＤＡの表示形態であり、００２のユーザはパソコン（ＰＣ）を端末装置１２として１５インチ型のＣＲＴを表示装置１３とする表示形態であり、００３のユーザはノート型のパソコンを端末装置１２として１２インチ型の液晶等の表示装置１３を使用する表示形態である。データ変換手段６は、インターネット３から取得したデータについて、変換データ２６に基づくデータ変換２３を行い、変換したデータを表示データ１１としてユーザ４の端末装置１２に転送する。
【００３４】
本実施形態のデータ変換サーバ２は、データ変換手段６によるデータ変換サービスを有償で行う。料金演算手段７は、データ変換２３の料金を算出し、各ユーザ４に請求する。ただし、データ変換２３のサービス毎に請求するのではなく、一定期間、たとえば一月単位で料金データ２９を集計して、銀行やクレジット会社などの金融機関３０に料金演算３１の演算結果の支払請求３２を行う。前述のように、ユーザ４は、ユーザ登録１４の際に、利用する金融機関３０を特定して登録しておく。金融機関３０は、支払請求３２に応じてデータ変換サーバ２の設置者に支払３３を行う。最終的に、金融機関３０はユーザ４に対して支払請求３４を行って支払３５を受けて、サービスの料金が決済される。ユーザ４から金融機関３０への支払３５は、口座引落しなどで行い得ることはもちろんである。
【００３５】
データ変換サーバ２の設置者は、ユーザデータ登録手段５に、複数のユーザ４およびユーザ４が利用する端末装置１２の表示仕様が登録されるので、登録後に、実際にデータ変換サービスを実行するまでに、インターネット３上で提供される代表的なデータをどのように変換するかを検討して、最適なデータ変換の方式を決めて変換データ２６としてまとめておくことができる。データ変換手段６は、各ユーザ４からの登録データ１０を伴う要求に応じてインターネット３上からデータを取得し、ユーザデータ登録手段５からの変換データ２６に従って、そのユーザ４について登録されている端末装置１２の表示仕様に適合するようにデータ変換２３を行い、その端末装置１２に示データ１１として転送する。料金演算手段７は、データ変換手段６によるデータ変換サービスの料金を算出し、各ユーザ４に請求するので、データ変換サービスを有償化し、料金に見合う最適化された表示データ１１の提供を可能にするという誘因を与えることができる。
【００３６】
また、データ変換手段６は、データ変換２３の際に、言語の変換または翻訳を行う翻訳変換機能８を備えている。翻訳変換機能８は、言語辞書データ２７を利用して異なる言語間の翻訳変換２８を行うことができる。ユーザ４は、データ変換サーバ２を利用するふつうの操作手順で、言語の変換や翻訳のサービスも受けることができる。
【００３７】
図２は、図１のインターネットデータ変換サービスシステム１での概略的なサービス手順を示す。ステップａ０から手順を開始し、ステップａ１ではユーザ４がデータ変換サーバ２にアクセスして、図１のユーザ登録１４を行う。データ変換サーバ２は、ステップａ２で表示データ１１として表示仕様受付画面表示用のデータを送り、ステップａ３でデータ変換仕様について、表示変換２４や、フォーマット変換２５、翻訳変換２８などの希望があるか否かを判断する。希望があると判断すれば、ステップａ４で希望するデータ変換の仕様を受付ける。次にステップａ５では、受付けられたデータ変換の仕様が複数であるか否かを判断する。複数であると判断するときは、ステップａ６で複数の仕様間で優先順位のランク付けの希望があるか否かを判断する。希望があると判断するときには、ステップａ７でランクを受付ける。
【００３８】
ステップａ７で受付けられたランクは、ユーザデータ登録手段５に登録され、ユーザデータ１５に含まれる。データ変換手段６は、データ変換２３を複数の表示形態などで行うことが可能なような場合、ユーザデータ登録手段５にランクが登録されているときには、ランクに従ってデータ変換を行う。ユーザ４からデータ変換２３のランクをユーザデータ登録手段５に登録可能であり、データ変換手段６がデータ変換２３を行う際には、ランクに従ってインターネット３から取得するデータが変換されるので、ユーザ４の好みを優先させてデータ変換２３を行わせることができる。
【００３９】
ステップａ７のランク受付が終了したとき、または、ステップａ３でデータ変換仕様に希望がないと判断するとき、ステップａ５でデータ変換仕様が複数ないと判断するとき、ステップａ６でランク付けの希望なしと判断するときは、ステップａ８に進み、データ変換サービスの通常業務が継続して行われる。ステップａ８では、ユーザデータ登録手段５に登録されているユーザデータ１５に基づく変換データ２６の整備など、データ変換の準備を行う。
【００４０】
また、データ変換手段６は、インターネット３上から取得するデータに対して、セキュリティ対策用のフィルタリングを行うようにする。インターネット３上から取得するデータに、コンピュータウイルスなどが混入されている可能性があっても、セキュリティ対策用のフィルタリングを行うので、変換されたデータの信頼性を向上させることができる。データ変換サーバ２は、ステップａ８の準備期間を利用して、フィルタリングのバージョンアップを図り、最新のウイルス対策情報に従うようにしておけば、個々のユーザ４は安心して変換された表示データ１１を取得することができる。
【００４１】
ステップａ９では、ユーザ４がデータ変換サーバ２にログインして、インターネット３からデータを取得して変換する希望があるか否かを判断する。希望がなければステップａ８に戻り、希望があればステップａ１０でデータ取得を行う。ユーザ４のログインとその確認には、ユーザ４の手間を省くために、クッキー（Ｃｏｏｋｉｅ）と呼ばれる手法で、端末装置１２からデータ変換サーバ２へ登録データ１０を自動的、または半自動的に送信するようにしてもよい。また、ＪＡＶＡ（登録商標）などのＷＷＷページブラウザ上で動作する言語で作成されたプログラムをデータ変換サーバ２から端末装置１２に送り、ユーザ４のログインとその確認の自動化や半自動化を図ることもできる。
【００４２】
データ変換サーバ２には、インターネット３上から取得するデータのアドレス入力用のソフトウエアをユーザ４の端末装置１２に提供し、かつ入力されるアドレスを予め定める範囲で再利用可能なように蓄積するアドレス入力手段としての機能をさらに含むようにすることができる。ユーザ４が希望するデータのアドレスは、データ変換用サーバ２が提供するアドレス入力用のソフトウエアを介して、データ変換用サーバ２のアドレス入力手段に入力され、かつ予め定める範囲で再利用可能なように蓄積されるので、ブックマークや閲覧履歴などの機能で、繰返して入力する際に、重複する入力操作を避けることができる。
【００４３】
ステップａ１０で取得したデータは、前述のフィルタリング等のセキュリティ対策を施し、ステップａ１１でデータ変換２３を行う。
【００４４】
データ変換手段６は、データ変換２３の際に、変換データ２６を参照し、表示仕様が制限されていれば、表示画像データについて、データの圧縮率の向上、表示サイズの減少、または表示色の減色のうちの少なくとも一つを行う。ユーザ４からランク付けがなされていれば、ランクに従う。ＰＤＡや携帯電話機を含む携帯情報端末などで、画像表示機能が制限される場合に、データ量を削減して適切な表示を行わせることができる。
【００４５】
またデータ変換手段６は、データ変換２３の際に、端末装置１２としての再生機に制約があれば、音楽データについて、ＷＡＶ形式からＭＰ３形式などへのファイル変換によるデータの圧縮率の向上、ストリームファイルへの変換、または携帯電話用着信メロディへの変換のうちの少なくとも一つを行う。音楽データについてのファイル変換などについても、変換データ２６に含めておけばよい。音楽データを再生環境に合わせて、データ変換し、データ量を削減して迅速な配信を行うことができる。
【００４６】
また、データ変換手段６は、データ変換２３の際に、表示仕様に制限があるような場合、電子メールについて、ＨＴＭＬメールについてのイメージ画像変換、メール文字数のカウント、自動分割、または添付ファイル変換のうちの少なくとも一つを行う。これによって、携帯情報端末や携帯電話機などで表示可能な文字数が制限されているような場合に、電子メールを適切に表示することができるようにデータ変換することができる。
【００４７】
ステップａ１１で変換したデータは、ステップａ１２で表示データ１１としてユーザ４の端末装置１２に転送され、表示装置１３で表示される。表示データ１１には、各種端末間で、表示等が適切となるようにインターネットデータを変換するサービスの結果が反映され、どのような形態の表示装置１３を持った端末装置１２でも読みやすい形で表示され、情報の正しい伝達が可能となる。次に、ステップａ１４では、料金演算手段７が料金データ２９による課金を行い、ステップａ８に戻る。
【００４８】
本実施形態のインターネットデータ変換サービスシステム１では、インターネット３に接続される端末装置１２を有する複数のユーザ４は、データ変換サーバ２の設置者と契約して、端末装置１２の表示仕様をユーザデータ１５として登録する。各端末装置１２からの要求に応じて、インターネット３上から取得するデータは、登録されている表示仕様に適合するようにデータ変換２３を行って、変換した表示データ１１を要求が出されたユーザ４の端末装置１２に転送する。データ変換２３に要するデータ変換サービスの料金を算出して各ユーザ４に請求する。ユーザ４はどのような端末装置１２やソフトウエアを使用していても、予め登録しておけばユーザ４の表示装置１３に、適切な表示等を行わせることが可能なデータ変換２３を有償で受けることができる。データ変換２３は有償であるので、単にデータの表示が可能であるだけではなく、最適化された表示が可能なように、登録後、実際にデータ変換２３を行うまでにデータ変換２３の準備を行っておくことが期待される。データ変換サービスの利用が多くなると、端末装置１２の製造メーカなどからも、データ変換２３に必要な情報等が提供されることも期待され、サービスの充実を図ることができる。
【００４９】
なお、データ変換手段６は、インターネット３上から取得してデータ変換２３の対象としたデータを、圧縮して電子メールの添付ファイルの形式に変換することもできる。データを変換した結果を圧縮して、電子メールの添付ファイルの形式に変換するので、電子メールとして取扱うことができ、ユーザ４は、都合が良いときに開封して内容を確認することができる。しかもメールサイズを削減して、メールサーバ等の負担を軽減することもできる。
【００５０】
またデータ変換サーバ２には、データ変換手段６によって変換されるデータを、ユーザ４毎に保管して、ユーザ４の要求時に提供するデータ保管手段をさらに含むようにすることもできる。変換したデータはデータ保管手段にユーザ毎に保管しておき、ユーザ４からの要求時に提供するので、ブックマークのように、ユーザ４は再表示を行うことができ、ユーザ４毎のきめの細かいサービスを提供することができる。
【００５１】
【発明の効果】
以上のように本発明によれば、インターネットに接続される端末装置を有する複数のユーザは、インターネット上から取得するデータを、各端末装置の表示仕様に適合するように有償でデータ変換を行ってから、転送を受けることができる。データ変換は有償であるので、それぞれの端末装置で最適な表示が可能なデータ変換を用意して、ユーザはどのような端末やソフトウエアを使用していても、予め登録しておけばユーザの表示端末に、適切な表示等を行わせることができる。
【００５２】
さらに本発明によれば、インターネット上に開設されるデータ変換用サーバ装置で、複数のユーザおよびユーザが利用する端末装置の表示仕様についての登録を受け、最適なデータ変換の方式を決めておくことができる。各ユーザからの要求に応じてインターネット上からデータを取得すると、そのユーザについて登録されている端末装置の表示仕様に適合するように有償のデータ変換を行い、その端末装置に転送する。データ変換サービスの有償化を誘因として、料金に見合う最適化されたデータの提供を可能にすることができる。
【００５３】
また本発明によれば、ユーザが希望するデータのアドレスの入力を、いったん入力したアドレスの再利用など、ユーザの便宜を図りながら行わせることができる。
【００５４】
また本発明によれば、画像表示機能が制限される携帯情報端末などにも、データ量を削減して適切な表示を行わせることができる。
【００５５】
また本発明によれば、再生環境に合わせて、音楽データを変換し、データ量を削減して迅速な配信を行うことができる。
【００５６】
また本発明によれば、表示可能な文字数が制限されているような場合でも、電子メール等が適切に表示されるようにデータ変換することができる。
【００５７】
また本発明によれば、ユーザは言語の変換や翻訳などのサービスも受けることができる。
【００５８】
また本発明によれば、インターネット上から取得するデータを、セキュリティ対策用のフィルタリングを行った上でデータ変換するので、個々のユーザは安心してデータを取得することができる。
【００５９】
また本発明によれば、データを変換した結果を圧縮して、電子メールとして取扱い、メールサイズを削減して、メールサーバ等の負担を軽減することもできる。
【００６０】
また本発明によれば、ユーザから指定されるランクに従ってデータが変換されるので、ユーザの好みを優先させてデータ変換を行わせることができる。
【００６１】
また本発明によれば、変換したデータをユーザ毎に保管しておき、ユーザからの要求時に提供するので、ユーザ毎のきめの細かいサービスを提供することができる。
【図面の簡単な説明】
【図１】本発明の実施の一形態であるデータ変換サーバ２を含むインターネットデータ変換サービスシステム１の概略的な構成を示すブロック図である。
【図２】図１のインターネットデータ変換サービスシステム１での概略的なサービス手順を示すフローチャートである。
【符号の説明】
１　インターネットデータ変換サービスシステム
２　データ変換サーバ
３　インターネット
４　ユーザ
５　ユーザデータ登録手段
６　データ変換手段
７　料金演算手段
８　翻訳変換機能
１０　登録データ
１１　表示データ
１２　端末装置
１３　表示装置
１５　ユーザデータ
２０　ホームページ
２１　電子メール
２２　ダウンロード用データ
２６　変換データ
２７　料金データ
３０　金融機関
【図１】
2004078354.tif 000003
【図２】
2004078354.tif 000004